(57)【要約】【課題】第１環状枠の第１長辺カバーと第１短辺カバーとの組付け時の位置合わせ、及び第２環状枠の第２長辺カバーと第２短辺カバーとの組付け時の位置合わせを確実、容易に行うことができるものでありながら、製造コストの低廉化と軽量化を図る。【解決手段】短辺カバー４，６の重合板部４Ｃ，６Ｃと長辺カバー３，５のカバー板部３Ｂ，５Ｂとの重合箇所における貫通孔２奥側の相対向する部位には、両者の長辺方向での相対移動を規制する第１規制手段７が設けられ、長辺カバー３，５の取付け板部３Ａ，５Ａと短辺カバー４，６の取付け板部４Ａ，６Ａとの相対向する部位には、長辺カバー３，５に対する短辺カバー４，６の長辺方向外方への移動を規制する第２規制手段８が設けられているとともに、長辺カバー３，５の取付け板部３Ａ，５Ａと短辺カバー４，６の重合板部４Ｃ，６Ｃとの相対向する部位には、長辺カバー３，５に対する短辺カバー４，６の貫通孔２外方側への移動を規制する第３規制手段９が設けられている。【選択図】図３
2008132244.tif 000002
【特許請求の範囲】
【請求項１】
耐火構造体に貫通形成された矩形状の貫通孔の一方の開口から装着される二枚の第１長辺カバーと二枚の第１短辺カバーとの組み合わせからなる第１環状枠と、前記貫通孔の他方の開口から装着される二枚の第２長辺カバーと二枚の第２短辺カバーとの組み合わせからなる第２環状枠を備え、前記第１長辺カバー及び第２長辺カバーの各々は、前記貫通孔の開口周縁に当接する取付け板部と、相手側と重合して貫通孔の長辺側内面を形成するカバー板部とを折り曲げ形成してある板金から構成され、前記第１短辺カバーと第２短辺カバーの各々は、前記貫通孔の開口周縁に当接する取付け板部と、相手側と重合して貫通孔の短辺側内面を形成するカバー板部、及び前記長辺カバーのカバー板部における長辺方向端部に重合する重合板部とを折り曲げ形成してある板金から構成されている防火措置用枠体であって、
前記短辺カバーの重合板部と前記長辺カバーのカバー板部との重合箇所における貫通孔奥側の相対向する部位には、これら両者が所定取付け位置にあるとき係合して両者の長辺方向での相対移動を規制する第１規制手段が設けられ、前記長辺カバーの取付け板部と短辺カバーの取付け板部との相対向する部位には、これら両者が所定取付け位置にあるとき係合して、長辺カバーに対する短辺カバーの長辺方向外方への移動を規制する第２規制手段が設けられているとともに、前記長辺カバーの取付け板部と短辺カバーの重合板部との相対向する部位には、これら両者が所定取付け位置にあるとき係合して、長辺カバーに対する短辺カバーの貫通孔外方側への移動を規制する第３規制手段が設けられている防火措置用枠体。
【請求項２】
前記第１規制手段が、前記長辺カバーのカバー板部に対する短辺カバーの重合板部の貫通孔奥側への移動をも規制する構成である請求項１記載の防火措置用枠体。
【請求項３】
前記第１規制手段が、前記長辺カバーのカバー板部に突出形成された突起と、この突起に対して長辺方向両側と貫通孔開口側の三方向から係合可能な状態で短辺カバーの重合板部に切欠き形成された係合凹部から構成されている請求項１又は請求項２記載の防火措置用枠体。
【請求項４】
前記第２規制手段が、前記短辺カバーの取付け板部の短辺方向端面とこれに対向する長辺カバーの取付け板部における内側辺の長手方向端部に形成された係止段部から構成されている請求項１〜３のいずれか１項に記載の防火措置用枠体。
【請求項５】
前記第３規制手段が、前記長辺カバーの取付け板部における内側辺の長手方向端部側に、長辺カバーのカバー板部に重合配置された短辺カバーの重合板部の貫通孔開口側端面と当接可能な状態で切り越し形成された規制板片から構成されている請求項１〜４のいずれか１項に記載の防火措置用枠体。
【発明の詳細な説明】
【技術分野】
【０００１】
本発明は、ケーブルや樹脂管等の可燃性長尺体を貫通状態で配設するために耐火中空壁等の耐火構造体に貫通形成されている貫通孔を防火措置する防火措置用枠体に関する。
詳しくは、耐火構造体に貫通形成された矩形状の貫通孔の一方の開口から装着される二枚の第１長辺カバーと二枚の第１短辺カバーとの組み合わせからなる第１環状枠と、前記貫通孔の他方の開口から装着される二枚の第２長辺カバーと二枚の第２短辺カバーとの組み合わせからなる第２環状枠を備え、前記第１長辺カバー及び第２長辺カバーの各々は、前記貫通孔の開口周縁に当接する取付け板部と、相手側と重合して貫通孔の長辺側内面を形成するカバー板部とを折り曲げ形成してある板金から構成され、前記第１短辺カバーと第２短辺カバーの各々は、前記貫通孔の開口周縁に当接する取付け板部と、相手側と重合して貫通孔の短辺側内面を形成するカバー板部、及び前記長辺カバーのカバー板部における長辺方向端部に重合する重合板部とを折り曲げ形成してある板金から構成されている防火措置用枠体に関する。
【背景技術】
【０００２】
従来の防火措置用枠体では、図１２、図１３に示すように、前記第１環状枠Ｂ１の第１長辺カバー５３を構成するカバー板部５３Ｂの先端側中間部分に、該カバー板部５３Ｂの外面との間に第１短辺カバー５４の重合板部５４Ｃを長辺方向から差し込み接続可能な挾持空間を構成する挾持板部５３Ｃを折り曲げ形成するとともに、前記第２環状枠Ｂ２の第２長辺カバー５５におけるカバー板部５５Ｂを、スリット５７によって長辺方向で三つの部分に分離して、この分離された中央板部分５５ａと側方板部分５５ｂとを、第１環状枠Ｂ１の第１長辺カバー５３を構成するカバー板部５３Ｂ及び挾持板部５３Ｃに対して差し込み接続可能な段差を付けた状態で折り曲げ形成し、更に、前記第２環状枠Ｂ２の第２短辺カバー５６におけるカバー板部５６Ｂを、スリット５８によって短辺方向で三つの部分に分離して、この分離された中央板部分５６ａと側方板部分５６ｂとを、第１環状枠Ｂの第１短辺カバー５４を構成するカバー板部５４Ｂに対して差し込み接続可能な段差を付けた状態で折り曲げ形成していた。
また、前記第１長辺カバー５３の取付け板部５３Ａ、第１短辺カバー５４の取付け板部５４Ａ、第２長辺カバー５５の取付け板部５５Ａ、第２短辺カバー５６の取付け板部５６Ａの各々には、前記耐火構造体Ａ（Ａ１，Ａ２）における貫通孔２の開口周縁にビス１１や釘等で取付けるための取付け孔１０が形成されている。
【発明の開示】
【発明が解決しようとする課題】
【０００３】
従来の防火措置用枠体では、前記第１長辺カバー５３を構成するカバー板部５３Ｂに幅広の挾持板部５３Ｃを折り曲げ形成し、更に、前記第２長辺カバー５５のカバー板部５５Ｂ及び第２短辺カバー５６のカバー板部５６Ｂの各々を長手方向で三分割して、第１長辺カバー５３のカバー板部５３Ｂ及び挾持板部５３Ｃと第１短辺カバー５４のカバー板部５４Ｂに対して差し込み可能な段差付けを行う必要があるため、防火措置用枠体全体が重量化するばかりでなく、折り曲げ加工の工程数の増加と加工の煩雑化し、しかも、４種類のパーツに分かれるため、製造コストの高騰化を招来していた。
【０００４】
本発明は、上述の実状に鑑みて為されたものであって、その主たる課題は、第１環状枠の第１長辺カバーと第１短辺カバーとの組付け時の位置合わせ、及び第２環状枠の第２長辺カバーと第２短辺カバーとの組付け時の位置合わせを確実、容易に行うことができるものでありながら、製造コストの低廉化と軽量化を図ることのできる防火措置用枠体を提供する点にある。
【課題を解決するための手段】
【０００５】
本発明による第１の特徴構成は、耐火構造体に貫通形成された矩形状の貫通孔の一方の開口から装着される二枚の第１長辺カバーと二枚の第１短辺カバーとの組み合わせからなる第１環状枠と、前記貫通孔の他方の開口から装着される二枚の第２長辺カバーと二枚の第２短辺カバーとの組み合わせからなる第２環状枠を備え、前記第１長辺カバー及び第２長辺カバーの各々は、前記貫通孔の開口周縁に当接する取付け板部と、相手側と重合して貫通孔の長辺側内面を形成するカバー板部とを折り曲げ形成してある板金から構成され、前記第１短辺カバーと第２短辺カバーの各々は、前記貫通孔の開口周縁に当接する取付け板部と、相手側と重合して貫通孔の短辺側内面を形成するカバー板部、及び前記長辺カバーのカバー板部における長辺方向端部に重合する重合板部とを折り曲げ形成してある板金から構成されている防火措置用枠体であって、
前記短辺カバーの重合板部と前記長辺カバーのカバー板部との重合箇所における貫通孔奥側の相対向する部位には、これら両者が所定取付け位置にあるとき係合して両者の長辺方向での相対移動を規制する第１規制手段が設けられ、前記長辺カバーの取付け板部と短辺カバーの取付け板部との相対向する部位には、これら両者が所定取付け位置にあるとき係合して、長辺カバーに対する短辺カバーの長辺方向外方への移動を規制する第２規制手段が設けられているとともに、前記長辺カバーの取付け板部と短辺カバーの重合板部との相対向する部位には、これら両者が所定取付け位置にあるとき係合して、長辺カバーに対する短辺カバーの貫通孔外方側への移動を規制する第３規制手段が設けられている点にある。
【０００６】
上記特徴構成によれば、例えば、前記貫通孔の一方の開口側から第１環状枠の二枚の第１長辺カバー及び二枚の第１短辺カバーを装着したとき、第１短辺カバーの重合板部と第１長辺カバーのカバー板部との重合箇所における貫通孔奥側部位に設けられた第１規制手段による係合作用により、所定取付け位置にある両者の長辺方向での相対移動を規制することができる。
更に、前記貫通孔の開口側においては、長辺カバーの取付け板部と短辺カバーの取付け板部との相対向する部位に設けられた第２規制手段による係合作用により、所定取付け位置にある長辺カバーに対する短辺カバーの長辺方向外方への移動を規制することができるとともに、前記長辺カバーの取付け板部と短辺カバーの重合板部との相対向する部位に設けられた第３規制手段による係合作用により、所定取付け位置にある長辺カバーに対する短辺カバーの貫通孔外方側への移動を規制することができる。
【０００７】
また、前記貫通孔の他方の開口側から装着される第２環状枠の二枚の第２長辺カバー及び二枚の第２短辺カバーも、上述と同様に前記第１〜第３規制手段の係合作用によって所定取付け位置に規制することができる。
【０００８】
従って、前記第１〜第３規制手段が、短辺カバーの重合板部と長辺カバーのカバー板部との重合箇所における貫通孔奥側部位、長辺カバーの取付け板部と短辺カバーの取付け板部との相対向する部位、長辺カバーの取付け板部と短辺カバーの重合板部との相対向する部位といった局部的な部位に形成されているため、第１環状枠の第１長辺カバーと第１短辺カバーとの組付け時の位置合わせ、及び第２環状枠の第２長辺カバーと第２短辺カバーとの組付け時の位置合わせを確実、容易に行うことができるものでありながら、製造コストの低廉化と軽量化を図ることができる。
【０００９】
本発明による第２の特徴構成は、前記第１規制手段が、前記長辺カバーのカバー板部に対する短辺カバーの重合板部の貫通孔奥側への移動をも規制する構成である点
【００１０】
上記特徴構成によれば、前記第１規制手段による係合作用により、前記長辺カバーのカバー板部に対する短辺カバーの重合板部の長辺方向での相対移動のみならず貫通孔奥側への移動をも規制することができるから、前記第３規制手段による係合作用との協働により、長辺カバーに対する短辺カバーの貫通孔軸線方向での相対移動を規制することができ、組付けの容易化と確実化を図ることができる。
【００１１】
本発明による第３の特徴構成は、前記第１規制手段が、前記長辺カバーのカバー板部に突出形成された突起と、この突起に対して長辺方向両側と貫通孔開口側の三方向から係合可能な状態で短辺カバーの重合板部に切欠き形成された係合凹部から構成されている点にある。
【００１２】
上記特徴構成によれば、前記長辺カバーのカバー板部に突起を突出形成し、短辺カバーの重合板部に係合凹部を切欠き形成するだけの簡単かつ安価な改造をもって、長辺カバーに対する短辺カバーの位置ずれを規制する第１規制手段を構成することができる。
【００１３】
本発明による第４の特徴構成は、前記第２規制手段が、前記短辺カバーの取付け板部の短辺方向端面とこれに対向する長辺カバーの取付け板部における内側辺の長手方向端部に形成された係止段部から構成されている点にある。
【００１４】
上記特徴構成によれば、前記短辺カバーの取付け板部と長辺カバーの取付け板部との突合せ箇所に係止段部を形成するだけで簡単かつ安価な改造をもって、長辺カバーに対する短辺カバーの長辺方向外方への移動を規制する第２規制手段を構成することができる。
【００１５】
本発明による第５の特徴構成は、前記第３規制手段が、前記長辺カバーの取付け板部における内側辺の長手方向端部側に、長辺カバーのカバー板部に重合配置された短辺カバーの重合板部の貫通孔開口側端面と当接可能な状態で切り越し形成された規制板片から構成されている点にある。
【００１６】
上記特徴構成によれば、前記長辺カバーの取付け板部における内側辺の長手方向端部側に規制板片を切り越し形成するだけの簡単かつ安価な改造をもって、所定取付け位置にある長辺カバーに対する短辺カバーの貫通孔外方側への移動を規制する第３規制手段を構成することができる。
【発明を実施するための最良の形態】
【００１７】
〔第１実施形態〕
図１〜図１１は、を示し、耐火構造体の一例で、石膏ボードやケイ酸カルシュウム板等の耐火壁材Ａ１，Ａ２を設定間隔Ｓをあけて対設してなる中空耐火間仕切壁Ａにおいて、ケーブルや樹脂管等の可燃性長尺体１を貫通状態で配設するために貫通形成されている矩形状の貫通孔２を防火措置する防火措置用枠体Ｂを示し、前記中空耐火間仕切壁Ａの貫通孔２の一方の開口から装着される二枚の第１長辺カバー３と二枚の第１短辺カバー４との組み合わせからなる第１環状枠Ｂ１と、前記貫通孔２の他方の開口から装着される二枚の第２長辺カバー５と二枚の第２短辺カバー６との組み合わせからなる第２環状枠Ｂ２とから構成されている。
【００１８】
前記第１長辺カバー３及び第２長辺カバー５の各々は、前記中空耐火間仕切壁Ａにおける貫通孔２の開口周縁の長辺側に当接する取付け板部３Ａ，５Ａと、貫通孔軸線方向での相手側と重合して貫通孔２の長辺側内面を形成するカバー板部３Ｂ，５Ｂとを折り曲げ形成してある溶融亜鉛メッキ鋼板等の板金から構成されているとともに、前記取付け板部３Ａ，５Ａの長辺方向複数箇所の各々には、前記耐火壁材Ａ１，Ａ２における貫通孔２の開口周縁にビス１１や釘等で取付けるための取付け孔１０が形成されている。
【００１９】
前記第１短辺カバー４と第２短辺カバー６の各々は、前記中空耐火間仕切壁Ａにおける貫通孔２の開口周縁の短辺側に当接する取付け板部４Ａ，６Ａと、貫通孔軸線方向での相手側と重合して貫通孔２の短辺側内面を形成するカバー板部４Ｂ，６Ｂ、及び前記長辺カバー３，５のカバー板部３Ｂ，５Ｂにおける内面の長辺方向端部に重合する重合板部４Ｃ，６Ｃとを折り曲げ形成してある溶融亜鉛メッキ鋼板等の板金から構成されているとともに、前記取付け板部４Ａ，６Ａの短辺方向中央位置には、前記耐火壁材Ａ１，Ａ２における貫通孔２の開口周縁にビス１１や釘等で取付けるための取付け孔１０が形成されている。
【００２０】
そして、図１〜図４に示すように、前記短辺カバー４，６の重合板部４Ｃ，６Ｃと前記長辺カバー３，５のカバー板部３Ｂ，５Ｂとの重合箇所における貫通孔２奥側（貫通孔２の軸線方向中央側）の相対向する部位には、これら両者、つまり、第１長辺カバー３と第１短辺カバー４及び第２長辺カバー５と第２短辺カバー６とが夫々所定取付け位置にあるとき係合して、両者の長辺方向での相対移動を規制すると同時に前記長辺カバー３，５のカバー板部３Ｂ，５Ｂに対する短辺カバー４，６の重合板部４Ｃ，６Ｃの貫通孔２奥側への移動をも規制する第１規制手段７が設けられている。
【００２１】
この第１規制手段７は、図８〜図１１に示すように、前記長辺カバー３，５のカバー板部３Ｂ，５Ｂに内面側に膨出する状態で突出形成された矩形状の突起７ａと、この突起７ａに対して長辺方向両側と貫通孔開口側の三方向から係合可能な状態で短辺カバー４，６の重合板部４Ｃ，６Ｃに切欠き形成された係合凹部７ｂから構成されているとともに、前記突起７ａが係合凹部７ｂに係合したとき、該突起７ａの内面が重合板部４Ｃ，６Ｃの上面よりも突出しないように、前記突起７ａの突出代が重合板部４Ｃ，６Ｃの板厚よりも小に構成されている。
【００２２】
また、図１〜図４に示すように、前記長辺カバー３，５の取付け板部３Ａ，５Ａと短辺カバー４，６の取付け板部４Ａ，６Ａとの相対向する突合せ部位には、これら両者、つまり、第１長辺カバー３と第１短辺カバー４及び第２長辺カバー５と第２短辺カバー６とが夫々が所定取付け位置にあるとき係合して、長辺カバー３，５に対する短辺カバー４，６の長辺方向外方側への移動を規制する第２規制手段８が設けられている。
【００２３】
この第２規制手段８は、図６、図７に示すように、前記短辺カバー４，６の取付け板部４Ａ，６Ａの短辺方向端面のうち、長辺方向の外側に位置する外側端面部分４ａ，６ａを長辺方向の内側に位置する内側端面部分４ｂ，６ｂよりも短辺方向中央側に窪ませて、階段状の係止段部８ａが形成されているとともに、この係止段部８ａに対向する長辺カバー３，５の取付け板部３Ａ，５Ａにおける内側辺の長辺方向両端部のうち、長辺方向の外側に位置する外側端面部分３ａ，５ａを長辺方向の内側に位置する内側端面部分３ｂ，５ｂよりも短辺方向中央側に突出させて、階段状の係止段部８ｂが形成され、前記短辺カバー４，６の取付け板部４Ａ，６Ａと長辺カバー３，５の取付け板部３Ａ，５Ａとの突合せ箇所における両係止段部８ａ，８ｂの係合により、長辺カバー３，５に対する短辺カバー４，６の長辺方向外方側への移動を接当規制するように構成されている。
【００２４】
更に、図１〜図４に示すように、前記長辺カバー３，５の取付け板部３Ａ，５Ａと短辺カバー４，６の重合板部４Ｃ，６Ｃとの相対向する部位には、これら両者、つまり、第１長辺カバー３と第１短辺カバー４及び第２長辺カバー５と第２短辺カバー６とが夫々が所定取付け位置にあるとき係合して、長辺カバー３，５に対する短辺カバー４，６の貫通孔２外方側（貫通孔２の軸線方向外方側）への移動を規制する第３規制手段９が設けられている。
【００２５】
この第２規制手段９は、図６、図７に示すように、前記一方の係止段部８ｂを構成する内側端面部分３ｂ，５ｂの長辺方向長さを、前記他方の係止段部８ａを構成する内側端面部分４ｂ，６ｂの長辺方向長さよりも大に構成するとともに、前記長辺カバー３，５の取付け板部３Ａ，５Ａにおける内側辺の長手方向端部、つまり、前記一方の係止段部８ｂを構成する内側端面部分３ｂ，５ｂに相当する部位に、長辺カバー３，５のカバー板部３Ｂ，５Ｂに重合配置された短辺カバー４，６の重合板部４Ｃ，６Ｃにおける貫通孔２開口側の端面４ｄ，６ｄと当接可能な状態で規制板片９ａを、重合板部４Ｃ，６Ｃの板厚と同じ寸法で切り越し形成することにより構成されている。
【００２６】
また、図５に示すように、前記貫通孔２に装着された防火措置用枠体Ｂの内周面とこれに挿通された多数の可燃性長尺体１の外面との間の隙間には複数の耐火用充填材１２が充填される。この耐火用充填材１２の一例を挙げると、耐火材を主体とする耐火ブロックを袋体に袋詰してなる袋入耐火ブロック１２Ａに、熱膨張性耐火材を主体とする熱膨性張性耐火シートを可燃性の袋体に袋詰めしてなる袋入熱膨張性耐火シート１２Ｂを、前記袋入耐火ブロック１２Ａの両端面が露出する状態で巻装するとともに、この袋入熱膨張性耐火シート１２Ｂには、これの巻装方向と交差する方向に止着用の帯状の不織布バンド１２Ｃを巻着して、袋入耐火ブロック１２Ａと袋入熱膨張性耐火シート１２Ｂを一体的に構成してある。
【００２７】
〔その他の実施形態〕
（１）  上述の第１実施形態では、前記第１規制手段７を、前記長辺カバー３，５のカバー板部３Ｂ，５Ｂに内面側に膨出する状態で突出形成された矩形状の突起７ａと、この突起７ａに対して長辺方向両側と貫通孔開口側の三方向から係合可能な状態で短辺カバー４，６の重合板部４Ｃ，６Ｃに切欠き形成された係合凹部７ｂから構成したが、前記係合凹部７ｂに変えて、前記突起７ａに対して長辺方向両側と貫通孔軸線方向両側の四方向から係合可能な状態で短辺カバー４，６の重合板部４Ｃ，６Ｃに貫通形成された係合孔から構成してもよい。
また、前記突起７ａを三角柱状、円柱状、半球状等に形成してもよい。
要するに、前記第１規制手段７としては、前記短辺カバー４，６の重合板部４Ｃ，６Ｃと前記長辺カバー３，５のカバー板部３Ｂ，５Ｂとの重合箇所における貫通孔２奥側の相対向する部位において、これら両者が所定取付け位置にあるとき係合して両者の長辺方向での相対移動を規制することのできるものであれば、如何なる構造を採用してもよい。
【００２８】
（２）  前記第２規制手段としては、長辺カバー３，５の取付け板部３Ａ，５Ａと短辺カバー４，６の取付け板部４Ａ，６Ａとの相対向する部位において、これら両者が所定取付け位置にあるとき係合して、長辺カバー３，５に対する短辺カバー４，６の長辺方向外方への移動を規制することのできるものであれば、如何なる構造を採用してもよい。
【００２９】
（３）  前記第３規制手段としては、長辺カバー３，５の取付け板部３Ａ，５Ａと短辺カバー４，６の重合板部４Ｃ，６Ｃとの相対向する部位において、これら両者が所定取付け位置にあるとき係合して、長辺カバー３，５に対する短辺カバー４，６の貫通孔２外方側への移動を規制することのできるものであれば、如何なる構造を採用してもよい。
【図面の簡単な説明】
【００３０】
【図１】本願発明の防火措置用枠体の第１実施形態を示す第１環状枠の装着前の分解斜視図
【図２】第１環状枠の装着時の斜視図
【図３】第２環状枠の装着前の分解斜視図
【図４】第２環状枠の装着時の斜視図
【図５】防火措置用枠体の内周面と多数の可燃性長尺体の外面との間に複数の耐火用充填材を充填したときの斜視図
【図６】第２規制手段及び第３規制手段の拡大斜視図
【図７】（イ）（ロ）は第３規制手段の装着前と装着後の拡大断面側面図
【図８】第１規制手段の拡大斜視図
【図９】（イ）（ロ）は第１規制手段の装着前と装着後の拡大断面側面図
【図１０】防火措置用枠体の分解断面側面図
【図１１】防火措置用枠体の装着後の断面側面図
【図１２】従来の防火措置用枠体の第１環状枠の装着前の分解斜視図
【図１３】従来の防火措置用枠体の第２環状枠の装着前の分解斜視図
【符号の説明】
【００３１】
Ａ        耐火構造体（中空耐火間仕切壁）
Ｂ        防火措置用枠体
Ｂ１      第１環状枠
Ｂ２      第２環状枠
１        可燃性長尺体
２        貫通孔
３        第１長辺カバー
３Ａ      取付け板部
３Ｂ      カバー板部
４        第１短辺カバー
４Ａ      取付け板部
４Ｂ      カバー板部
４Ｃ      重合板部
４ｄ      開口側端面
５        第２長辺カバー
５Ａ      取付け板部
５Ｂ      カバー板部
６        第２短辺カバー
６Ａ      取付け板部
６Ｂ      カバー板部
６Ｃ      重合板部
７        第１規制手段
７ａ      突起
７ｂ      係合凹部
８        第２規制手段
８ａ      係止段部
８ｂ      係止段部
９        第３規制手段
９ａ      規制板片
【図１】
2008132244.tif 000003
【図２】
2008132244.tif 000004
【図３】
2008132244.tif 000005
【図４】
2008132244.tif 000006
【図５】
2008132244.tif 000007
【図６】
2008132244.tif 000008
【図７】
2008132244.tif 000009
【図８】
2008132244.tif 000010
【図９】
2008132244.tif 000011
【図１０】
2008132244.tif 000012
【図１１】
2008132244.tif 000013
【図１２】
2008132244.tif 000014
【図１３】
2008132244.tif 000015